【手続補正書】
【提出日】平成25年11月27日(2013.11.27)
【手続補正１】
【補正対象書類名】特許請求の範囲
【補正対象項目名】全文
【補正方法】変更
【補正の内容】
【特許請求の範囲】
【請求項１】
放送信号を受信し、当該放送信号を復調することでストリームを生成するチューナ部と、
前記ストリームからパケットを抽出するデマルチプレクサ部と、
システム時刻基準値を計時するシステム時刻計時部と、
前記システム時刻基準値に同期させて、前記パケットに含まれる映像データから映像信号を再生する再生部と、
前記映像信号を保存し、前記システム時刻基準値に同期させて、前記映像信号を出力するフレームバッファ部と、
前記パケットから、同期時刻を計時させるためのプログラム時刻基準参照値を取得し、当該プログラム時刻基準参照値を前記システム時刻計時部に設定し、前記システム時刻計時部に、前記同期時刻に対応するシステム時刻基準値の計時を行わせる制御部と、を備え、
前記制御部は、チャンネルが選択された際に、前記同期時刻よりも進んだ第１の時刻を計時させるための第１の値を前記システム時刻計時部に設定し、前記システム時刻計時部に、前記第１の時刻を示すシステム時刻基準値の計時を行わせるとともに、前記フレームバッファ部から前記映像信号が出力された際に、前記同期時刻に対応した正規時刻の値を算出し、当該正規時刻の値を前記システム時刻計時部に設定し、前記システム時刻計時部に、前記同期時刻に対応するシステム時刻基準値の計時を行わせること
を特徴とする映像表示装置。
【請求項２】
時刻を早めるためのデコード開始カウントアップ値を示すデコード開始時刻情報を記憶する記憶部をさらに備え、
前記制御部は、チャンネルが選択された際に、前記パケットに含まれるプログラム時刻基準参照値を取得し、前記デコード開始カウントアップ値を前記取得されたプログラム時刻基準参照値に加算して前記第１の値を生成すること
を特徴とする請求項１に記載の映像表示装置。
【請求項３】
前記制御部は、前記フレームバッファ部から前記映像信号が出力された際に、前記システム時刻計時部で計時されたシステム時刻基準値を現在時刻値として取得し、当該取得された現在時刻値から前記第１の値を減算することで算出された時刻カウントアップ値を、前記取得されたプログラム時刻基準参照値に加算することで、前記正規時刻の値を算出すること
を特徴とする請求項２に記載の映像表示装置。
【請求項４】
前記制御部は、前記再生部が前記映像信号を再生した際に、前記第１の時刻よりも進んだ第２の時刻を計時させるための第２の値を前記システム時刻計時部に設定し、前記システム時刻計時部に、前記第２の時刻を示すシステム時刻基準値の計時を行わせること
を特徴とする請求項１に記載の映像表示装置。
【請求項５】
時刻を早めるための表示開始カウントアップ値を示す表示開始時刻情報を記憶する記憶部をさらに備え、
前記制御部は、前記再生部が前記映像信号を再生した際に、前記表示開始カウントアップ値を、前記システム時刻計時部で計時されたシステム時刻基準値に加算して前記第２の値を生成すること
を特徴とする請求項４に記載の映像表示装置。
【請求項６】
前記制御部は、
チャンネルが選択された際に、前記パケットに含まれるプログラム時刻基準参照値を取得し、
前記再生部が前記映像信号を再生した際に、前記システム時刻計時部で計時されたシステム時刻基準値を第１の現在時刻値として取得し、当該第１の現在時刻値から前記第１の値を減算することで、第１時刻カウントアップ値を算出し、
前記フレームバッファ部から前記映像信号が出力された際に、前記システム時刻計時部で計時されたシステム時刻基準値を第２の現在時刻値として取得し、当該第２の現在時刻値から前記第２の値を減算した第２時刻カウントアップ値を算出し、
前記取得されたプログラム時刻基準参照値に、前記第１時刻カウントアップ値及び前記第２時刻カウントアップ値を加算することで、前記正規時刻の値を算出すること
を特徴とする請求項４又は５に記載の映像表示装置。
【請求項７】
前記制御部は、
チャンネルが選択された際に、前記パケットに含まれるプログラム時刻基準参照値を取得し、
前記再生部が前記映像信号を再生した際に、前記システム時刻計時部で計時されたシステム時刻基準値を第１の更新用現在時刻値として取得し、
前記第１の更新用現在時刻値から、前記取得されたプログラム時刻基準参照値を減算することで、第１の更新用時刻カウントアップ値を算出し、
前記第１の更新用時刻カウントアップ値が大きくなるほど大きくなる更新用のデコード開始カウントアップ値を決定し、
前記デコード開始カウントアップ値を、前記更新用のデコード開始カウントアップ値で更新すること
を特徴とする請求項２又は３に記載の映像表示装置。
【請求項８】
前記制御部は、チャンネルスキャン処理時に前記デコード開始カウントアップ値の更新を行うこと
を特徴とする請求項７に記載の映像表示装置。
【請求項９】
前記制御部は、
チャンネルが選択された際に、前記パケットに含まれるプログラム時刻基準参照値を取得し、
前記フレームバッファ部から前記映像信号が出力された際に、前記システム時刻計時部で計時されたシステム時刻基準値を第２の更新用現在時刻値として取得し、
前記第２の更新用現在時刻値から、前記取得されたプログラム時刻基準参照値を減算することで、第２の更新用時刻カウントアップ値を算出し、
前記第２の更新用時刻カウントアップ値が大きくなるほど大きくなる更新用の表示開始カウントアップ値を決定し、
前記表示開始カウントアップ値を、前記更新用の表示開始カウントアップ値で更新すること
を特徴とする請求項５に記載の映像表示装置。
【請求項１０】
前記制御部は、チャンネルスキャン処理時に前記表示開始カウントアップ値の更新を行うこと
を特徴とする請求項９に記載の映像表示装置。
【請求項１１】
予め定められた複数の高速表示モードから、選択する高速表示モードの入力を受け付ける入力部をさらに備え、
前記制御部は、前記選択された高速表示モードに対応して、前記デコード開始カウントアップ値を変更すること
を特徴とする請求項２、３、７及び８の何れか一項に記載の映像表示装置。
【請求項１２】
予め定められた複数の高速表示モードから、選択する高速表示モードの入力を受け付ける入力部をさらに備え、
前記制御部は、前記選択された高速表示モードに対応して、前記表示開始カウントアップ値を変更すること
を特徴とする請求項５、９及び１０の何れか一項に記載の映像表示装置。
【請求項１３】
放送信号を受信し、当該放送信号を復調することでストリームを生成するチューナ部と、
前記ストリームからパケットを抽出するデマルチプレクサ部と、
システム時刻基準値を計時するシステム時刻計時部と、
前記システム時刻基準値に同期させて、前記パケットに含まれる映像データから映像信号を再生する再生部と、
前記映像信号を保存し、前記システム時刻基準値に同期させて、前記映像信号を出力するフレームバッファ部と、
前記パケットから、同期時刻を計時させるためのプログラム時刻基準参照値を取得し、当該プログラム時刻基準参照値を前記システム時刻計時部に設定し、前記システム時刻計時部に、前記同期時刻に対応するシステム時刻基準値の計時を行わせる制御部と、を備える映像表示装置が行う映像表示方法であって、
前記制御部が、チャンネルが選択された際に、前記同期時刻よりも進んだ第１の時刻を計時させるための第１の値を前記システム時刻計時部に設定し、前記システム時刻計時部に、前記第１の時刻を示すシステム時刻基準値の計時を行わせるデコード開始時刻変換過程と、
前記制御部が、前記フレームバッファ部から前記映像信号が出力された際に、前記同期時刻に対応した正規時刻の値を算出し、当該正規時刻の値を前記システム時刻計時部に設定し、前記システム時刻計時部に、前記同期時刻に対応するシステム時刻基準値の計時を行わせる正規時刻復帰過程と、を有すること
を特徴とする映像表示方法。
【請求項１４】
前記映像表示装置は、時刻を早めるためのデコード開始カウントアップ値を示すデコード開始時刻情報を記憶する記憶部をさらに備え、
前記デコード開始時刻変換過程において、前記制御部は、チャンネルが選択された際に、前記パケットに含まれるプログラム時刻基準参照値を取得し、前記デコード開始カウントアップ値を前記取得されたプログラム時刻基準参照値に加算して前記第１の値を生成すること
を特徴とする請求項１３に記載の映像表示方法。
【請求項１５】
前記正規時刻復帰過程において、前記制御部は、前記フレームバッファ部から前記映像信号が出力された際に、前記システム時刻計時部で計時されたシステム時刻基準値を現在時刻値として取得し、当該取得された現在時刻値から前記第１の値を減算することで算出された時刻カウントアップ値を、前記取得されたプログラム時刻基準参照値に加算することで、前記正規時刻の値を算出すること
を特徴とする請求項１４に記載の映像表示方法。
【請求項１６】
前記制御部が、前記再生部が前記映像信号を再生した際に、前記第１の時刻よりも進んだ第２の時刻を計時させるための第２の値を前記システム時刻計時部に設定し、前記システム時刻計時部に、前記第２の時刻を示すシステム時刻基準値の計時を行わせる表示開始時刻変換過程をさらに有すること
を特徴とする請求項１３又は１４に記載の映像表示方法。
【請求項１７】
前記映像表示装置は、時刻を早めるための表示開始カウントアップ値を示す表示開始時刻情報を記憶する記憶部をさらに備え、
前記表示開始時刻変換過程において、前記制御部は、前記再生部が前記映像信号を再生した際に、前記表示開始カウントアップ値を、前記システム時刻計時部で計時されたシステム時刻基準値に加算して前記第２の値を生成すること
を特徴とする請求項１６に記載の映像表示方法。
【請求項１８】
前記制御部が、チャンネルが選択された際に、前記パケットに含まれるプログラム時刻基準参照値を取得する過程と、
前記制御部が、前記再生部が前記映像信号を再生した際に、前記システム時刻計時部で計時されたシステム時刻基準値を第１の現在時刻値として取得し、当該第１の現在時刻値から前記第１の値を減算することで、第１時刻カウントアップ値を算出する過程と、
前記制御部が、前記フレームバッファ部から前記映像信号が出力された際に、前記システム時刻計時部で計時されたシステム時刻基準値を第２の現在時刻値として取得し、当該第２の現在時刻値から前記第２の値を減算した第２時刻カウントアップ値を算出する過程をさらに有し、
前記正規時刻復帰過程において、前記制御部は、前記取得されたプログラム時刻基準参照値に、前記第１時刻カウントアップ値及び前記第２時刻カウントアップ値を加算することで、前記正規時刻の値を算出すること
を特徴とする請求項１６又は１７に記載の映像表示方法。
【請求項１９】
前記制御部が、チャンネルが選択された際に、前記パケットに含まれるプログラム時刻基準参照値を取得する過程と、
前記制御部が、前記再生部が前記映像信号を再生した際に、前記システム時刻計時部で計時されたシステム時刻基準値を第１の更新用現在時刻値として取得する過程と、
前記制御部が、前記第１の更新用現在時刻値から、前記取得されたプログラム時刻基準参照値を減算することで、第１の更新用時刻カウントアップ値を算出する過程と、
前記制御部が、前記第１の更新用時刻カウントアップ値が大きくなるほど大きくなる更新用のデコード開始カウントアップ値を決定する過程と、
前記制御部が、前記デコード開始カウントアップ値を、前記更新用のデコード開始カウントアップ値で更新する過程と、を備えるデコード開始時刻情報更新過程をさらに有すること
を特徴とする請求項１４又は１５に記載の映像表示方法。
【請求項２０】
前記制御部が、チャンネルが選択された際に、前記パケットに含まれるプログラム時刻基準参照値を取得する過程と、
前記制御部が、前記フレームバッファ部から前記映像信号が出力された際に、前記システム時刻計時部で計時されたシステム時刻基準値を第２の更新用現在時刻値として取得する過程と、
前記制御部が、前記第２の更新用現在時刻値から、前記取得されたプログラム時刻基準参照値を減算することで、第２の更新用時刻カウントアップ値を算出する過程と、
前記制御部が、前記第２の更新用時刻カウントアップ値が大きくなるほど大きくなる更新用の表示開始カウントアップ値を決定する過程と、
前記制御部が、前記表示開始カウントアップ値を、前記更新用の表示開始カウントアップ値で更新する過程と、を備える表示開始時刻情報更新過程をさらに有すること
を特徴とする請求項１７に記載の映像表示方法。
【請求項２１】
前記映像表示装置は、予め定められた複数の高速表示モードから、選択する高速表示モードの入力を受け付ける入力部をさらに備え、
前記制御部が、前記選択された高速表示モードに対応して、前記デコード開始カウントアップ値を変更する過程をさらに有すること
を特徴とする請求項１４、１５及び１９の何れか一項に記載の映像表示方法。
【請求項２２】
前記映像表示装置は、予め定められた複数の高速表示モードから、選択する高速表示モードの入力を受け付ける入力部をさらに備え、
前記制御部が、前記選択された高速表示モードに対応して、前記表示開始カウントアップ値を変更する過程をさらに有すること
を特徴とする請求項１７又は２０に記載の映像表示方法。
【手続補正２】
【補正対象書類名】明細書
【補正対象項目名】００１２
【補正方法】変更
【補正の内容】
【００１２】
本発明の１態様に係る映像表示装置は、
放送信号を受信し、当該放送信号を復調することでストリームを生成するチューナ部と、
前記ストリームからパケットを抽出するデマルチプレクサ部と、
システム時刻基準値を計時するシステム時刻計時部と、
前記システム時刻基準値に同期させて、前記パケットに含まれる映像データから映像信号を再生する再生部と、
前記映像信号を保存し、前記システム時刻基準値に同期させて、前記映像信号を出力するフレームバッファ部と、
前記パケットから、同期時刻を計時させるためのプログラム時刻基準参照値を取得し、当該プログラム時刻基準参照値を前記システム時刻計時部に設定し、前記システム時刻計時部に、前記同期時刻に対応するシステム時刻基準値の計時を行わせる制御部と、を備え、
前記制御部は、チャンネルが選択された際に、前記同期時刻よりも進んだ第１の時刻を計時させるための第１の値を前記システム時刻計時部に設定し、前記システム時刻計時部に、前記第１の時刻を示すシステム時刻基準値の計時を行わせるとともに、前記フレームバッファ部から前記映像信号が出力された際に、前記同期時刻に対応した正規時刻の値を算出し、当該正規時刻の値を前記システム時刻計時部に設定し、前記システム時刻計時部に、前記同期時刻に対応するシステム時刻基準値の計時を行わせること
を特徴とする。